(57)【特許請求の範囲】
【請求項１】
ユーザ識別情報を記憶する記憶部を有し、イベントの幹事用の幹事端末及びイベントへ参加する複数のユーザ端末と通信ネットワークを介して通信可能なサーバが、
前記幹事端末から、前記イベントへ参加する複数のユーザのそれぞれに対応する複数の前記ユーザ識別情報を含むイベント開催情報を、前記通信ネットワークを介して受信した場合、前記イベントが開催される施設であるイベント開催予定施設の候補であるイベント開催候補施設の追加を前記ユーザに依頼するイベント開催候補施設追加依頼を、前記イベント開催情報に含まれるユーザ識別情報にそれぞれ対応する複数のユーザ端末に前記通信ネットワークを介して送信し、
前記幹事端末又は前記複数のユーザ端末の少なくとも一つから、前記イベント開催候補施設追加依頼に応じて選択されたイベント開催候補施設を示すイベント開催候補施設情報を、前記通信ネットワークを介して受信した場合、前記イベント開催候補施設情報を、当該選択をしたユーザのユーザ識別情報に関連付けて前記記憶部に記憶し、
前記イベント開催候補施設情報のうち前記イベント開催予定施設とすべきイベント開催候補施設への投票を依頼する投票依頼画面を表示させるための情報である投票依頼を、前記幹事端末及び前記複数のユーザ端末の少なくとも一方に前記通信ネットワークを介して送信し、
前記幹事端末及び前記複数のユーザ端末の少なくとも一方から、前記投票依頼画面に表示された前記イベント開催候補施設のうち前記イベント開催予定施設としてユーザにより選択されたイベント開催候補施設を示す投票情報を、前記通信ネットワークを介して取得し、
前記通信ネットワークを介して、前記投票依頼を送信した前記幹事端末又は前記複数のユーザ端末のうちの少なくとも一つから、送信した前記投票依頼に対応する投票情報を取得した後、前記幹事端末又は前記複数のユーザ端末の少なくとも一方から新たなイベント開催候補施設情報を受信した場合、前記通信ネットワークを介して、既に前記投票依頼に対応する投票情報を取得した前記幹事端末又は前記ユーザ端末に対し、前記イベント開催候補施設への投票を再度依頼する再投票依頼画面を表示させるための情報である再投票依頼を送信し、前記再投票依頼に対応する投票情報を取得し、
前記投票情報に基づいて、前記イベント開催候補施設のうちのいずれかを前記イベント開催予定施設に決定し、
前記イベント開催予定施設に決定されたイベント開催候補施設を選択したユーザのユーザ識別情報に関連付けて特典情報を前記記憶部に記憶する、
ことを特徴とするイベント開催予定施設決定方法。
【請求項２】
前記幹事端末又は前記複数のユーザ端末のうちのいずれかのユーザが選択できるイベント開催候補施設の数に上限が設定される、請求項１に記載のイベント開催予定施設決定方法。
【請求項３】
前記幹事端末及び前記複数のユーザ端末の全てのユーザが選択できるイベント開催候補施設の数の合計に上限が設定される、請求項１または２に記載のイベント開催予定施設決定方法。
【請求項４】
前記イベント開催予定施設に決定されたイベント開催候補施設を選択したユーザの連絡先を、前記イベント開催予定施設の端末に通知する、請求項１〜３のいずれか一項に記載のイベント開催予定施設決定方法。
【請求項５】
前記投票情報に基づいて前記特典情報を変動させ、
前記イベント開催予定施設と決定されたイベント開催候補施設を選択したユーザのユーザ識別情報に関連付けて前記変動させた特典情報を前記記憶部に記憶する、請求項１〜４のいずれか一項に記載のイベント開催予定施設決定方法。
【請求項６】
ユーザ識別情報を記憶する記憶部を有し、イベントの幹事用の幹事端末及びイベントへ参加する複数のユーザ端末と通信ネットワークを介して通信可能なイベント開催予定施設決定サーバであって、
前記幹事端末から、前記イベントへ参加する複数のユーザのそれぞれに対応する複数の前記ユーザ識別情報を含むイベント開催情報を、前記通信ネットワークを介して受信した場合、前記イベントが開催される施設であるイベント開催予定施設の候補であるイベント開催候補施設の追加を前記ユーザに依頼するイベント開催候補施設追加依頼を、前記イベント開催情報に含まれるユーザ識別情報にそれぞれ対応する複数のユーザ端末に前記通信ネットワークを介して送信し、前記幹事端末又は前記複数のユーザ端末の少なくとも一つから、前記イベント開催候補施設追加依頼に応じて選択されたイベント開催候補施設を示すイベント開催候補施設情報を、前記通信ネットワークを介して受信した場合、前記イベント開催候補施設情報を、当該選択をしたユーザのユーザ識別情報に関連付けて前記記憶部に記憶する調整部と、
前記イベント開催候補施設情報のうち前記イベント開催予定施設とすべきイベント開催候補施設への投票を依頼する投票依頼画面を表示させるための情報である投票依頼を、前記幹事端末及び前記複数のユーザ端末の少なくとも一方に前記通信ネットワークを介して送信し、前記幹事端末及び前記複数のユーザ端末の少なくとも一方から、前記投票依頼画面に表示された前記イベント開催候補施設のうち前記イベント開催予定施設としてユーザにより選択されたイベント開催候補施設を示す投票情報を、前記通信ネットワークを介して取得し、前記通信ネットワークを介して、前記投票依頼を送信した前記幹事端末又は前記複数のユーザ端末のうちの少なくとも一つから、送信した前記投票依頼に対応する投票情報を取得した後、前記幹事端末又は前記複数のユーザ端末の少なくとも一方から新たなイベント開催候補施設情報を受信した場合、前記通信ネットワークを介して、既に前記投票依頼に対応する投票情報を取得した前記幹事端末又は前記ユーザ端末に対し、前記イベント開催候補施設への投票を再度依頼する再投票依頼画面を表示させるための情報である再投票依頼を送信し、前記再投票依頼に対応する投票情報を取得し、前記投票情報に基づいて、前記イベント開催候補施設のうちのいずれかを前記イベント開催予定施設に決定する投票管理部と、
前記イベント開催予定施設に決定されたイベント開催候補施設を選択したユーザのユーザ識別情報に関連付けて特典情報を前記記憶部に記憶する特典管理部と、
を備えることを特徴とするイベント開催予定施設決定サーバ。
【請求項７】
ユーザ識別情報を記憶する記憶部を有し、イベントの幹事用の幹事端末及びイベントへ参加する複数のユーザ端末と通信ネットワークを介して通信可能なコンピュータに、
前記幹事端末から、前記イベントへ参加する複数のユーザのそれぞれに対応する複数の前記ユーザ識別情報を含むイベント開催情報を、前記通信ネットワークを介して受信した場合、前記イベントが開催される施設であるイベント開催予定施設の候補であるイベント開催候補施設の追加を前記ユーザに依頼するイベント開催候補施設追加依頼を、前記イベント開催情報に含まれるユーザ識別情報にそれぞれ対応する複数のユーザ端末に前記通信ネットワークを介して送信し、
前記幹事端末又は前記複数のユーザ端末の少なくとも一つから、前記イベント開催候補施設追加依頼に応じて選択されたイベント開催候補施設を示すイベント開催候補施設情報を、前記通信ネットワークを介して受信した場合、前記イベント開催候補施設情報を、当該選択をしたユーザのユーザ識別情報に関連付けて前記記憶部に記憶し、
前記イベント開催候補施設情報のうち前記イベント開催予定施設とすべきイベント開催候補施設への投票を依頼する投票依頼画面を表示させるための情報である投票依頼を、前記幹事端末及び前記複数のユーザ端末の少なくとも一方に前記通信ネットワークを介して送信し、
前記幹事端末及び前記複数のユーザ端末の少なくとも一方から、前記投票依頼画面に表示された前記イベント開催候補施設のうち前記イベント開催予定施設としてユーザにより選択されたイベント開催候補施設を示す投票情報を、前記通信ネットワークを介して取得し、
前記通信ネットワークを介して、前記投票依頼を送信した前記幹事端末又は前記複数のユーザ端末のうちの少なくとも一つから、送信した前記投票依頼に対応する投票情報を取得した後、前記幹事端末又は前記複数のユーザ端末の少なくとも一方から新たなイベント開催候補施設情報を受信した場合、前記通信ネットワークを介して、既に前記投票依頼に対応する投票情報を取得した前記幹事端末又は前記ユーザ端末に対し、前記イベント開催候補施設への投票を再度依頼する再投票依頼画面を表示させるための情報である再投票依頼を送信し、前記再投票依頼に対応する投票情報を取得し、
前記投票情報に基づいて、前記イベント開催候補施設のうちのいずれかを前記イベント開催予定施設に決定し、
前記イベント開催予定施設に決定されたイベント開催候補施設を選択したユーザのユーザ識別情報に関連付けて特典情報を前記記憶部に記憶する、
ことを実行させることを特徴とするイベント開催予定施設決定プログラム。
【発明の詳細な説明】
【技術分野】
【０００１】
本発明は、サーバにおけるイベント開催予定施設決定方法に関する。
【背景技術】
【０００２】
従来、複数のユーザが参加するイベントの幹事のみがそのイベントが開催されるイベント開催候補施設をいくつか選択し、選択された複数のイベント開催候補施設の中から、イベントが開催されるイベント開催予定施設を決定していた。
【０００３】
例えば、グループ代表者ユーザが目的地、出発日等の旅行条件を選択し、旅行条件に合致するツアーを抽出し、旅行のイメージに合い、旅行の打ち合わせの基となるツアーを決定する行事の打合せ支援システムが提案されている（例えば、特許文献１参照）。
【０００４】
また、幹事が参加者の人数、料理の種類、飲食店のエリア等を、催そうとする宴会の条件として入力し、これらの条件を満たす飲食店を検索し、検索した飲食店の候補を登録する宴会予約支援システムが提案されている（例えば、特許文献２参照）。
【先行技術文献】
【特許文献】
【０００５】
【特許文献１】特開２００５−１０７７８６号公報
【特許文献２】特開２００６−３２３８０５号公報
【発明の概要】
【発明が解決しようとする課題】
【０００６】
しかしながら、幹事のみがイベント開催候補施設を選択し、イベント開催予定施設を決定することは、幹事にとって大きな負担となっていた。
【０００７】
そこで、本願の目的は、幹事だけではなくイベントに参加するユーザにも、イベント開催候補施設を選択する機会を与えることができるイベント開催予定施設決定方法を提供することにある。
【課題を解決するための手段】
【０００８】
イベント開催予定施設決定方法は、ユーザ識別情報を記憶する記憶部を有し、イベントの幹事用の幹事端末及びイベントへ参加する複数のユーザ端末と通信可能なサーバにおけるイベント開催予定施設決定方法であって、幹事端末からのイベント開催情報に従い、イベント開催候補施設の追加依頼を複数のユーザ端末に送信し、幹事端末又は複数のユーザ端末の少なくとも一つから、選択したイベント開催候補施設情報を取得して、イベント開催候補施設情報を、選択をしたユーザのユーザ識別情報に関連付けて記憶部に記憶し、イベント開催候補施設情報及び投票依頼を、幹事端末又は複数のユーザ端末に送信し、幹事端末又は複数のユーザ端末から、投票情報を取得して、投票情報に基づいて、イベント開催候補施設のうちのいずれかをイベント開催予定施設に決定し、イベント開催予定施設に決定されたイベント開催候補施設を選択したユーザのユーザ識別情報に関連付けて特典情報を記憶部に記憶する。
【０００９】
上記の一般的な記述及び下記の詳細な記述の何れも、例示的かつ説明的なものであり、請求項のように、本発明を限定するものではないことを理解されたい。
【発明の効果】
【００１０】
上記のイベント開催予定施設決定方法によれば、最終的に決定されたイベント開催予定施設を選択したユーザにインセンティブを与えることによって、イベントへ参加するユーザを積極的にイベント開催候補施設の選択に関与させることが可能となった。
【００１１】
本発明の目的及び効果は、特に請求項において指摘される構成要素及び組み合わせを用いることによって認識され且つ得られるだろう。前述の一般的な説明及び後述の詳細な説明の両方は、例示的及び説明的なものであり、特許請求の範囲に記載されている本発明を制限するものではない。
【図面の簡単な説明】
【００１２】
【図１】イベント開催予定施設決定システム１の概略構成の一例を示す図である。
【図２】（ａ）は、幹事端末２の概略構成の一例を示す図であり、（ｂ）は、携帯端末３の概略構成の一例を示す図である。
【図３】サーバ４の概略構成の一例を示す図である。
【図４】（ａ）は、施設管理テーブルのデータ構造の一例を示す図であり、（ｂ）は、イベント管理テーブルのデータ構造の一例を示す図であり、（ｃ）は、イベント開催候補施設管理テーブルのデータ構造の一例を示す図である。
【図５】イベント開催予定施設決定システム１の動作シーケンスの一例を示す図である。
【図６】サーバ４のイベント開催予定施設決定処理のフローチャートの一例を示す図である。
【図７】（ａ）は、メッセージ交換によるイベント開催情報の幹事端末２の入力画面の一例を示す図であり、（ｂ）は、幹事端末２の検索画面の一例を示す図であり、（ｃ）は、予約可能な施設の検索結果を幹事端末２の表示部２４に表示した画面の一例を示す図であり、（ｄ）は、幹事端末２のイベント送信画面の一例を示す図である。
【図８】（ａ）は、イベント開催候補施設の追加依頼を携帯端末３の表示部３４に表示した画面の一例を示す図であり、（ｂ）は、イベント「懇親会」に参加するユーザのホームページを携帯端末３の表示部３４に表示した画面の一例を示す図であり、（ｃ）は、携帯端末３の検索画面の一例を示す図であり、（ｄ）は、予約可能な施設の検索結果を携帯端末３の表示部３４に表示した画面の一例を示す図である。
【図９】（ａ）は、投票依頼を携帯端末３の表示部３４に表示した画面の一例を示す図であり、（ｂ）は、携帯端末３の投票画面の一例の示す図である。
【図１０】（ａ）は、イベント開催予定施設が決定された旨を携帯端末３の表示部３４に表示した画面の一例を示す図であり、（ｂ）は、特典情報を携帯端末３の表示部３４に表示した画面の一例を示す図である。
【図１１】（ａ）は、再投票依頼を携帯端末３の表示部３４に表示した画面の一例を示す図であり、（ｂ）は、携帯端末３の再投票画面の一例の示す図である。
【発明を実施するための形態】
【００１３】
［第１実施形態］
図１は、イベント開催候補施設システム１の概略構成の一例を示す図である。
【００１４】
イベント開催予定施設決定システム１は、少なくとも一つの幹事端末２と、少なくとも複数の携帯端末３と、サーバ４とを備える。幹事端末２とサーバ４とは、通信ネットワークを介して相互に接続され、例えば、インターネット５を介して相互に接続される。幹事端末２で実行されるプログラムと、サーバ４で実行されるプログラムとは、ハイパーテキスト転送プロトコル（Hypertext Transfer Protocol, HTTP）等の通信プロトコルを用いて通信を行う。携帯端末３とサーバ４は、通信ネットワークを介して相互に接続され、例えば、インターネット５を介して相互に接続される。携帯端末３で実行されるプログラムと、サーバ４で実行されるプログラムとは、ハイパーテキスト転送プロトコル（Hypertext Transfer Protocol, HTTP）等の通信プロトコルを用いて通信を行う。
【００１５】
図２（ａ）は、幹事端末２の概略構成の一例を示す図である。
【００１６】
幹事端末２は、端末通信部２１、端末記憶部２２、操作部２３、表示部２４及び端末処理部２５等を備える。幹事とは、複数のユーザが参加予定のイベントを開催する責任者であるユーザを意味する。イベントとは、施設で開催する催し物又は行事をいう。イベントの一例としては、社員旅行、新年会、忘年会、バーベキュー、宴会、懇親会、同窓会、及びゴルフコンペ等がある。施設の一例としてはホテル、旅館、店舗、レストラン、宴会場、ゴルフ場等がある。幹事端末２として、多機能携帯電話（所謂「スマートフォン」）が想定されるが、これに限定されるものではない。幹事端末２は、本発明が適用可能であればよく、例えば、携帯電話（所謂「フィーチャーフォン」）、携帯情報端末（Personal Digital Assistant, PDA）、タブレットＰＣ、パーソナルコンピュータ（ＰＣ）等でもよい。
【００１７】
端末通信部２１は、所定の周波数帯を感受帯域とするアンテナを含む通信インターフェース回路を備え、幹事端末２をインターネット５に接続する。端末通信部２１は、端末処理部２５から供給されたデータをサーバ４等に送信する。また、端末通信部２１は、サーバ４等から受信したデータを端末処理部２５に供給する。
【００１８】
端末記憶部２２は、例えば、半導体メモリ、磁気ディスク装置、又は光ディスク装置のうちの少なくともいずれか一つを備える。端末記憶部２２は、端末処理部２５での処理に用いられるオペレーティングシステムプログラム、ドライバプログラム、アプリケーションプログラム、データ等を記憶する。例えば、端末記憶部２２は、ドライバプログラムとして、操作部２３を制御する入力デバイスドライバプログラム、表示部２４を制御する出力デバイスドライバプログラム等を記憶する。また、端末記憶部２２は、アプリケーションプログラムとして、メッセージの送受信を実行するプログラム等を記憶する。また、端末記憶部２２は、データとして、送受信されたメッセージとそれに付随するデータを記憶する。さらに、端末記憶部２２は、所定の処理に係る一時的なデータを一時的に記憶してもよい。
【００１９】
操作部２３は、幹事端末２の操作が可能であればどのようなデバイスでもよく、例えば、タッチパッド、キーボード等である。ユーザは、操作部２３を用いて、文字、数字等を入力することができる。操作部２３は、ユーザにより操作されると、その操作に対応する信号を発生する。発生した信号は、ユーザの指示として、端末処理部２５に供給される。
【００２０】
表示部２４は、文字列、画像等の表示が可能であればどのようなデバイスでもよく、例えば、液晶ディスプレイ、有機ＥＬ（Electro-Luminescence）ディスプレイ等である。表示部２４は、端末処理部２５から供給された、送受信されたメッセージ等を表示する。
【００２１】
端末処理部２５は、一又は複数個のプロセッサ及びその周辺回路を備える。端末処理部２５は、幹事端末２の全体的な動作を統括的に制御するものであり、例えば、ＣＰＵ（Central Processing Unit）である。端末処理部２５は、端末記憶部２２に記憶されているプログラムが操作部２３の操作等に応じて適切な手順で実行されるように、端末通信部２１、及び表示部２４等の動作を制御する。端末処理部２５は、端末記憶部２２に記憶されているプログラム（オペレーティングシステムプログラム、ドライバプログラム、アプリケーションプログラム等）に基づいて処理を実行する。また、端末処理部２５は、複数のプログラム（アプリケーションプログラム等）を並列に実行することができる。
【００２２】
端末処理部２５は、閲覧実行部２５１及びメッセージ管理部２５２を備える。これらの各部は、端末処理部２５が備えるプロセッサで実行されるプログラムにより実現される機能モジュールである。あるいは、これらの各部は、ファームウェアとして幹事端末２に実装されてもよい。
【００２３】
閲覧実行部２５１は、施設の決定に係る表示データの取得及び表示を行う。即ち、閲覧実行部２５１は、ユーザからの指示に応じて施設の決定に関する入力又は選択等を、端末通信部２１を介してサーバ４に送信する。また、閲覧実行部２５１は、施設の決定に関する入力又は選択等に対する処理結果に対応する表示データを、サーバ４から端末通信部２１を介して受信する。閲覧実行部２５１は、受信した表示データに基づいて表示部２４に表示する。
【００２４】
メッセージ管理部２５２は、メッセージの送受信を、端末通信部２１を介して実行する。
【００２５】
図２（ｂ）は、携帯端末３の概略構成の一例を示す図である。
【００２６】
携帯端末３は、端末通信部３１、端末記憶部３２、操作部３３、表示部３４及び端末処理部３５等を備える。携帯端末３は、イベントへ参加するユーザの端末である。携帯端末３として、多機能携帯電話（所謂「スマートフォン」）が想定されるが、これに限定されるものではない。携帯端末３は、本発明が適用可能であればよく、例えば、携帯電話（所謂「フィーチャーフォン」）、携帯情報端末（Personal Digital Assistant, PDA）、タブレットＰＣ、パーソナルコンピュータ（ＰＣ）等でもよい。
【００２７】
携帯端末３が備える端末通信部３１、端末記憶部３２、操作部３３、表示部３４及び端末処理部３５は、幹事端末２が備える端末通信部２１、端末記憶部２２、操作部２３、表示部２４及び端末処理部２５と同様であるため、説明を省略する。
【００２８】
図３は、サーバ４の概略構成の一例を示す図である。
【００２９】
サーバ４は、サーバ通信部４１、サーバ記憶部４２、及びサーバ処理部４３を備える。
【００３０】
サーバ通信部４１は、インターネット５を介してデータの送受信を行うための通信インターフェース回路を備え、幹事端末２及びサーバ４並びに携帯端末３及びサーバ４との間で通信を行う。
【００３１】
サーバ記憶部４２は、例えば、磁気テープ装置、磁気ディスク装置、又は光ディスク装置のうちの少なくともいずれか一つを備え、サーバ処理部４３での処理に用いられるオペレーティングシステムプログラム、ドライバプログラム、アプリケーションプログラム、データ等を記憶する。また、サーバ記憶部４２は、データとして、施設管理テーブル（図４（ａ））、イベント管理テーブル（図４（ｂ））、及びイベント開催候補施設管理テーブル（図４（ｃ））を記憶する。サーバ記憶部４２は、特典情報を、特典が付与されたユーザのユーザ識別情報に関連付けて記憶する。また、サーバ記憶部４２は、投票情報を、投票したユーザのユーザ識別情報に関連付けて記憶する。また、サーバ記憶部４２は、幹事及び複数のユーザの名前及び連絡先を記憶する。また、サーバ記憶部４２は、所定の処理に係る一時的なデータを一時的に記憶するためのバッファを更に備える。
【００３２】
サーバ処理部４３は、一又は複数個のプロセッサ及びその周辺回路を備え、サーバ４の全体的な動作を統括的に制御するものであり、例えば、ＣＰＵで構成される。また、サーバ処理部４３は、サーバ記憶部４２に記憶されているプログラム（オペレーティングシステムプログラム、ドライバプログラム、アプリケーションプログラム等）に基づき、適切な手順でサーバ通信部４１等の動作を制御する。さらに、サーバ処理部４３は、複数のプログラム（アプリケーションプログラム等）を並列に実行してもよい。
【００３３】
サーバ処理部４３は、調整部４３１、投票管理部４３２、特典管理部４３３、及び連絡先通知部４３４等を備える。これらは、サーバ処理部４３が備えるプロセッサで実行されるプログラムにより実行される機能モジュールである。なお、これらは、ファームウェアとしてサーバ４に実装されてもよい。
【００３４】
調整部４３１は、複数の施設のうち、どの施設をイベント開催候補施設としてユーザに選択され、選択されたイベント開催候補施設に対してどのような評価をユーザに投票されるか、幹事端末２及び複数の携帯端末３とサーバ４との間で調整する。幹事端末２及び複数の携帯端末３とサーバ４との間での調整については後述する。
【００３５】
投票管理部４３２は、幹事端末２及び／又は複数の携帯端末３から複数のイベント開催候補施設に対する投票情報を取得し、投票情報を集計した結果に基づいて、複数のイベント開催候補施設の中からイベント開催予定施設を決定する。投票情報を集計した結果に基づいて、複数のイベント開催候補施設の中からイベント開催予定施設を決定することについては後述する。
【００３６】
特典管理部４３３は、イベント開催予定施設に決定されたイベント開催候補施設を選択したユーザに所定の特典を付与する。特典の付与については、後述する。
【００３７】
図４（ａ）は、施設管理テーブルのデータ構造の一例を示す図である。
【００３８】
図４（ａ）に示すデータ構造は、サーバ記憶部４２に記憶されている施設IDに関連づけられた一連のデータを示している。一連のデータは、例えば、ジャンル、施設名、エリア、住所等を含む。上記の一連のデータは一例であって、そのイベント開催候補施設に関する情報を含んでもよい。ジャンルとは、施設が提供する商品又はサービスが属する分野を意味する。エリアとは、施設が配置された住所が属する区域を意味する。
【００３９】
図４（ｂ）は、イベント管理テーブルのデータ構造の一例を示す図である。
【００４０】
図４（ｂ）に示すデータ構造は、サーバ記憶部４２に記憶されているイベントIDに関連づけられた一連のデータを示している。一連のデータは、例えば、ＵＲＬ、イベントの幹事のユーザID、イベントへ参加するユーザのユーザID等を含む。上記の一連のデータは一例であって、その他のイベントに関する情報を含んでもよい。ＵＲＬは、イベント開催候補施設に対する投票、及び、イベント開催候補施設を選択をするためのホームページにアクセスするためのＵＲＬである。例えば、イベント開催候補施設を選択するためのホームページは、サーバ４のサーバ記憶部４２に記憶されている。
【００４１】
図４（ｃ）は、イベント開催候補施設管理テーブルのデータ構造の一例を示す図である。
【００４２】
図４（ｃ）に示すデータ構造は、サーバ記憶部４２に記憶されているイベント開催候補施設IDに関連づけられた一連のデータを示している。一連のデータは、例えば、イベントID、施設ID、選択者ID、日時等を含む。上記の一連のデータは一例であって、その他のイベント開催候補施設に関する情報を含んでもよい。施設IDとは、イベント開催候補施設として選択された施設の識別情報である。選択者IDとは、イベント開催候補施設を選択したユーザの識別情報である。
【００４３】
図５は、イベント開催予定施設決定システム１の動作シーケンスの一例を示す図である。
【００４４】
以下に説明する動作シーケンスは、予め端末記憶部２２、端末記憶部３２及びサーバ記憶部４２に記憶されているプログラムに基づいて、主に端末処理部２５、端末処理部３５及びサーバ処理部４３により、幹事端末２、携帯端末３及びサーバ４の各要素と協働して実行される。
【００４５】
最初に、幹事端末２の閲覧実行部２５１は、イベント開催候補施設を幹事に選択させる（ステップＳ１００）。
【００４６】
図７（ａ）〜（ｄ）は、図５のステップＳ１００で説明したイベント開催情報を幹事に入力させるための幹事端末２における画面の一例を示す図である。
【００４７】
図７（ａ）は、メッセージ交換によるイベント開催情報の幹事端末２の入力画面の一例を示す図である。
【００４８】
図７（ａ）では、まず、幹事端末２のメッセージ管理部２５２は、「イベント名は？」というメッセージ７００を表示する。次に、メッセージ管理部２５２は、幹事が操作部２３を操作することにより入力された「懇親会」というメッセージ７０１を表示する。次に、メッセージ管理部２５２は、「幹事ID（メールアドレス）は？」というメッセージ７０２を表示する。次に、メッセージ管理部２５２は、幹事が操作部２３を操作することにより入力された「aaa@abc.com」というメッセージ７０３を表示する。次に、メッセージ管理部２５２は、「参加するユーザID（メールアドレス）は？」というメッセージ７０４を表示する。次に、メッセージ管理部２５２は、幹事が操作部２３を操作することにより入力された「bbb@abc.com, ccc@abc.com．．．」というメッセージ７０５を表示する。さらに、施設の検索７０６が表示されている。メッセージ７０１，７０３，７０５に入力された情報は、イベント開催情報である。これにより、メッセージ管理部２５２による問い合わせのメッセージ７００，７０２，７０４の表示と、幹事によるイベント開催情報の入力とを交互にすることにより、幹事は入力の手間によるストレスを軽減できる。
【００４９】
幹事が操作部２３を操作することにより、施設の検索７０６を押下すると、メッセージ管理部２５２は、メッセージ７０１，７０３，７０５に入力されたイベント開催情報を、端末通信部２１を介してサーバ４に送信し、閲覧実行部２５１は、検索画面を表示部２４に表示する。
【００５０】
サーバ通信部４１を介して、イベント開催情報を取得すると、サーバ４の調整部４３１は、イベント開催情報をイベント管理テーブルに記憶する。
【００５１】
図７（ｂ）は、幹事端末２の検索画面の一例を示す図である。
【００５２】
図７（ｂ）では、月日として「2014年12月22日」が入力フォーム７１０に表示されている。時間として「19:30」が入力フォーム７１１に表示されている。人数として「3」名が入力フォーム７１２に表示されている。エリアとして「新宿」が入力フォーム７１３に表示されている。施設のジャンルとして「レストラン」が入力フォーム７１４に表示されている。これらの入力フォーム７１０〜７１４に表示された「2014年12月22日」、「19:30」、「3」名、「新宿」及び「レストラン」は、幹事端末２の幹事が操作部２３を操作することにより、入力した情報である。さらに、検索ボタン７１５が表示されている。幹事端末２の幹事が操作部２３を操作することにより、検索ボタン７１５を押下すると、閲覧実行部２５１は、入力された「2014年12月22日」、「19:30」、「新宿」、「3」名、及び「レストラン」を検索条件として、端末通信部２１を介してサーバ４に送信する。
【００５３】
サーバ通信部４１を介して、幹事端末２から検索条件を取得すると、サーバ４の検索部（不図示）は、検索条件に基づいて施設を検索し、予約可能な施設の検索結果を、サーバ通信部４１を介して幹事端末２に送信する。
【００５４】
端末通信部２１を介して、サーバ４から予約可能な施設の検索結果を取得すると、幹事端末２の閲覧実行部２５１は、予約可能な施設の検索結果を表示部２４に表示する。
【００５５】
図７（ｃ）は、予約可能な施設の検索結果を幹事端末２の表示部２４に表示した画面の一例を示す図である。
【００５６】
図７（ｃ）では、予約可能な施設の検索結果として「レストランA  日時：2014年12月22日19:30〜  エリア：新宿  人数：3」が表示されている。また、選択ボタン７２０、検索画面に戻るボタン７２１、及びイベント送信画面ボタン７２２が表示されている。幹事端末２の幹事が操作部２３を操作することにより、選択ボタン７２０を押下すると、閲覧実行部２５１は、予約可能な施設の検索結果のうち、選択ボタン７２０に対応する施設（例えば、レストランＡ）をイベント開催候補施設に選択したイベント開催候補施設情報を、端末通信部２１を介してサーバ４に送信する。
【００５７】
サーバ通信部４１を介して、幹事端末２からイベント開催候補施設を選択したイベント開催候補施設情報を取得すると、サーバ４の調整部４３１は、イベント開催候補施設情報をイベント開催候補施設管理テーブルに記憶し、イベント開催候補施設に関する各種情報を更新する。例えば、サーバ４の調整部４３１は、選択者IDには、イベント開催候補施設を選択した幹事のユーザIDをイベント開催候補施設管理テーブルに記憶する。
【００５８】
一方、幹事端末２の幹事が操作部２３を操作することにより、検索画面に戻るボタン７２１を押下すると、閲覧実行部２５１は、図７（ｂ）の検索画面を表示部２４に再表示する。
【００５９】
一方、幹事端末２の幹事が操作部２３を操作することにより、イベント送信画面ボタン７２２を押下すると、閲覧実行部２５１は、図７（ｄ）のイベント送信画面を表示部２４に表示する。
【００６０】
図７（ｄ）は、幹事端末２のイベント送信画面の一例を示す図である。
【００６１】
図７（ｄ）では、差出人として幹事のメールアドレスである「aaa@abc.com」が表示されている。また、宛先としてイベントに参加するユーザのメールアドレスである「bbb@abc.com, ccc@abc.com．．．」が表示されている。イベント開催候補施設リストの欄には、イベント開催候補施設として幹事に選択された「レストランA  日時：2014年12月22日19:30〜  エリア：新宿  人数：3  」及び「バーB  日時：2014年12月22日22:00〜  エリア：新宿  人数：3」が表示されている。イベント開催候補施設リストは、幹事により選択されたイベント開催候補施設情報の一例である。さらに、削除ボタン７３０，７３１，検索画面に戻るボタン７３２，イベント開催要求ボタン７３３が表示されている。検索画面に戻るボタン７３２は、図７（ｃ）の検索画面に戻るボタン７２１と同様のボタンなので説明を省略する。
【００６２】
幹事端末２の幹事が操作部２３を操作することにより、削除ボタン７３０又は削除ボタン７３１を押下する。そうすると、閲覧実行部２５１は、イベント開催候補施設リストの欄のイベント開催候補施設のうち、削除ボタン７３０，７３１に対応する施設をイベント開催候補施設から削除する削除情報を、端末通信部２１を介してサーバ４に送信する。
【００６３】
サーバ通信部４１を介して、幹事端末２からイベント開催候補施設の削除情報を取得すると、サーバ４の調整部４３１は、イベント開催候補施設管理テーブルから削除情報に対応するイベント開催候補施設に関する各種情報を削除する。
【００６４】
一方、幹事端末２の幹事が操作部２３を操作することにより、イベント開催要求ボタン７３３を押下すると、閲覧実行部２５１は、宛先「bbb@abc.com, ccc@abc.com．．．」と、イベント開催要求を、端末通信部２１を介してサーバ４に送信する（ステップＳ１０１）。
【００６５】
サーバ通信部４１を介して、幹事端末２からイベント開催要求を取得すると、調整部４３１は、選択されたイベント開催候補施設情報とともに、イベント開催候補施設の追加依頼を、サーバ通信部４１を介して宛先「bbb@abc.com, ccc@abc.com．．．」の携帯端末３に送信する（ステップＳ１０２）。ここで、イベント開催候補施設の追加とは、イベント開催候補施設を選択して追加することをいう。
【００６６】
端末通信部３１を介して、サーバ４からイベント開催候補施設情報、イベント開催候補施設の追加依頼を取得すると、携帯端末３のメッセージ管理部３５２は、イベント開催候補施設情報、イベント開催候補施設の追加依頼を表示部３４に表示する。
【００６７】
図８（ａ）は、イベント開催候補施設の追加依頼を携帯端末３の表示部３４に表示した画面の一例を示す図である。
【００６８】
図８（ａ）では、差出人として幹事のメールアドレスである「aaa@abc.com」が表示されている。また、宛先としてイベントに参加するユーザのメールアドレスである「bbb@abc.com, ccc@abc.com．．．」が表示されている。イベント開催候補施設リストの欄には、イベント開催候補施設として幹事に選択された「レストランA  日時：2014年12月22日19:30〜  エリア：新宿  人数：3  」及び「バーB  日時：2014年12月22日22:00〜  エリア：新宿  人数：3」が表示されている。イベント開催候補施設リストは、イベント開催候補施設情報の一例である。さらに、「以下のイベントURLからログインしてイベント開催候補施設の追加をお願いします。」というメッセージ８００、及びイベントURLとして「URL<http://www.xxx.jp/1234.html>」８０１が表示されている。
【００６９】
携帯端末３のユーザが操作部３３を操作することにより、携帯端末３の閲覧実行部３５１がイベントURLにアクセスし、ユーザＩＤ及びパスワードを含むログイン要求を、端末通信部３１を介して、サーバ４に送信する。
【００７０】
サーバ通信部４１を介して携帯端末３からログイン要求を取得すると、サーバ４の調整部４３１は、取得したログイン要求を認証し、イベント「懇親会」に参加するユーザのホームページを、サーバ通信部４１を介して携帯端末３に送信する。
【００７１】
端末通信部３１を介して、サーバ４からイベント「懇親会」に参加するユーザのホームページを取得すると、閲覧実行部３５１は、イベント「懇親会」に参加するユーザのホームページを表示部３４に表示する。
【００７２】
図８（ｂ）は、イベント「懇親会」に参加するユーザのホームページを携帯端末３の表示部３４に表示した画面の一例を示す図である。
【００７３】
図８（ｂ）では、「追加したイベント開催候補施設が開催予定施設に決定されたら、ポイントプレゼント!」というメッセージ８１１、及び検索画面ボタン８１２が表示されている。
【００７４】
図８（ｂ）において、携帯端末３のユーザが操作部３３を操作することにより、検索画面ボタン８１２を押下すると、閲覧実行部３５１は、イベント開催候補施設をユーザに選択させる（ステップＳ１０３）。閲覧実行部３５１は、イベント開催候補施設を選択したイベント開催候補施設情報を、端末通信部３１を介してサーバ４に送信する（ステップＳ１０４）。
【００７５】
図８（ｃ），（ｄ）は、図５のステップＳ１０３，１０４で説明したイベント開催候補施設を選択させるための携帯端末３における画面の一例を示す図である。
【００７６】
図８（ｃ）は、携帯端末３の検索画面の一例を示す図である。
【００７７】
図８（ｃ）の携帯端末３における検索画面は、図７（ｂ）における幹事端末２における検索画面と同様であるため、同様な部分の説明を省略する。図８（ｃ）の入力フォーム８２０〜８２４に表示された「2014年12月22日」、「18:30」、「3」名、「新宿」及び「カラオケ」は、携帯端末３のユーザが操作部３３を操作することにより、入力した情報である。さらに、携帯端末３のユーザが操作部３３を操作することにより、検索ボタン８２５を押下すると、閲覧実行部２５１は、入力された「2014年12月22日」、「18:30」、「3」名、「新宿」及び「カラオケ」を検索条件として、端末通信部２１を介してサーバ４に送信する。
【００７８】
サーバ通信部４１を介して、検索条件を所得すると、サーバ４の検索部（不図示）は、検索条件に基づいて予約可能な施設を検索し、予約可能な施設の検索結果を、サーバ通信部４１を介して携帯端末３に送信する。
【００７９】
端末通信部３１を介して、サーバ４から予約可能な施設の検索結果を取得すると、携帯端末３の閲覧実行部３５１は、予約可能な施設の検索結果を表示部３４に表示する。
【００８０】
図８（ｄ）は、予約可能な施設の検索結果を携帯端末３の表示部３４に表示した画面の一例を示す図である。
【００８１】
図８（ｄ）の予約可能な施設の検索結果を携帯端末３の表示部３４に表示した画面は、図７（ｃ）の予約可能な施設の検索結果を幹事端末２の表示部２４に表示した画面と同様であるため、同様な部分の説明を省略する。携帯端末３のユーザが操作部３３を操作することにより、追加ボタン８３０を押下すると、閲覧実行部３５１は、予約可能な施設の検索結果のうち、追加ボタン８３０に対応する施設（例えば、カラオケＣ）をイベント開催候補施設に選択したイベント開催候補施設情報を、端末通信部３１を介してサーバ４に送信する。
【００８２】
図５に戻り、サーバ通信部４１を介して、イベント開催候補施設を選択したイベント開催候補施設情報を取得すると、サーバ４の調整部４３１は、選択したイベント開催候補施設情報を、選択をしたユーザのユーザ識別情報に関連付けてイベント開催候補施設管理テーブルに記憶する（ステップＳ１０５）。
【００８３】
具体的には、まず、サーバ４の調整部４３１は、サーバ通信部４１を介して、イベント開催候補施設を選択したイベント開催候補施設情報を取得する。そうすると、サーバ４の調整部４３１は、イベント開催候補施設管理テーブルを参照し、選択したイベント開催候補施設の施設IDがイベント開催候補施設管理テーブルに既に記憶されているイベント開催候補施設の施設IDと一致するか否かにより、選択したイベント開催候補施設が既に選択されているか否かを判定する。
【００８４】
選択したイベント開催候補施設の施設IDが既に記憶されているイベント開催候補施設の施設IDと一致する場合、選択したイベント開催候補施設が既に選択されているため、サーバ４の調整部４３１は、エラーメッセージ（不図示）を、サーバ通信部４１を介して携帯端末３に返信する。
【００８５】
一方、選択したイベント開催候補施設の施設IDが既に記憶されているイベント開催候補施設の施設IDと一致しない場合、サーバ４の調整部４３１は、選択したイベント開催候補施設情報を、選択をしたユーザのユーザ識別情報に関連付けてイベント開催候補施設管理テーブルに記憶する。すなわち、サーバ４の調整部４３１は、選択したイベント開催候補施設情報をイベント開催候補施設管理テーブルに記憶し、選択したイベント開催候補施設に関する各種情報を更新する。ここで、サーバ４の調整部４３１は、選択者IDには、イベント開催候補施設を選択した参加者のユーザのユーザIDをイベント開催候補施設管理テーブルに記憶する。
【００８６】
所定のイベント開催候補施設の選択期間が終了し、所定のイベント開催候補施設の投票期間になると、サーバ４の調整部４３１は、選択したイベント開催候補施設情報とともに、イベント開催候補施設に対する投票依頼を、イベントに参加する複数のユーザの携帯端末３にサーバ通信部４１を介して送信する（ステップＳ１０６）。なお、所定のイベント開催候補施設の選択期間及び所定のイベント開催候補施設の投票期間は、幹事端末２から変更できるようにしてもよい。
【００８７】
端末通信部３１を介して、選択したイベント開催候補施設情報及び投票依頼を取得すると、携帯端末３のメッセージ管理部３５２は、選択したイベント開催候補施設情報及び投票依頼を表示部３４に表示する。
【００８８】
図９（ａ）は、投票依頼を携帯端末３の表示部３４に表示した画面の一例を示す図である。
【００８９】
図９（ａ）では、差出人としてサーバ４の投票管理部４３２のメールアドレスである「no-reply@abc.com」が表示されている。また、宛先としてイベントに参加するユーザのメールアドレスである「bbb@abc.com, ccc@abc.com．．．」が表示されている。また、「以下のイベント開催候補施設の投票期間になりました。以下のイベントURLにログインして、イベント開催候補施設に対する評価を投票して下さい。URL<http://www.xxx.jp/1234.html>」というメッセージ９００が表示されている。
【００９０】
携帯端末３のユーザが操作部３３を操作することにより、携帯端末３の閲覧実行部３５１がイベントURLにアクセスし、ユーザＩＤ及びパスワードを含むログイン要求を、端末通信部３１を介して、サーバ４に送信する。
【００９１】
サーバ通信部４１を介して携帯端末３からログイン要求を取得すると、サーバ４の調整部４３１は、取得したログイン要求を認証し、投票画面の情報を、サーバ通信部４１を介して携帯端末３に送信する。
【００９２】
図５に戻り、端末通信部４１を介して、サーバ４から投票画面の情報を取得すると、閲覧実行部３５１は、投票画面を表示部３４に表示し、投票情報をユーザに入力される（ステップＳ１０７）。
【００９３】
図９（ｂ）は、携帯端末３の投票画面の一例の示す図である。
【００９４】
図９（ｂ）では、レストランＡに対する評価「評価  ●とても良い(3点)  ○良い(2点)○普通(1点)  ○イマイチ(0点)」９１０、バーＢに対する評価「評価  ○とても良い(3点)  ●良い(2点)○普通(1点)  ○イマイチ(0点)」９１１、及びカラオケＣに対する評価「評価  ○とても良い(3点)  ○良い(2点)●普通(1点)  ○イマイチ(0点)」９１２が表示されている。携帯端末３のユーザが操作部３３を操作することにより、レストランＡに対して「●とても良い(3点)」という評価を入力している。また、携帯端末３のユーザが操作部３３を操作することにより、バーＢに対して「●良い(2点)」という評価を入力している。さらに、携帯端末３のユーザが操作部３３を操作することにより、カラオケＣに対して「●普通(1点)」という評価を入力している。
【００９５】
図５に戻り、携帯端末３のユーザが操作部３３を操作することにより、投票ボタン９１３を押下すると、閲覧実行部３５１は、入力された評価９１０〜９１２を投票情報として、端末通信部４１を介してサーバ４に送信する（ステップＳ１０８）。
【００９６】
サーバ通信部４１を介して、携帯端末３から投票情報を取得すると、サーバ４の投票管理部４３２は、投票情報をサーバ記憶部４２に投票したユーザのユーザ識別情報に関連付けて記憶する（ステップＳ１０９）。
【００９７】
所定のイベント開催候補施設の投票期間が終了すると、サーバ４の調整部４３１は、後述する図６のイベント開催予定施設決定処理を実行する（ステップ１１０）。
【００９８】
図６は、サーバ４の投票の集計によるイベント開催予定施設決定処理のフローチャートの一例を示す図である。
【００９９】
サーバ４の投票の集計によるイベント開催予定施設決定処理は、所定のイベント開催候補施設の投票期間終了後に実行される。
【０１００】
サーバ４の投票管理部４３２は、サーバ記憶部４２に記憶された投票情報のイベント開催候補施設に対する評価の点数を集計する（ステップＳ２００）。
【０１０１】
サーバ４の投票管理部４３２は、集計された評価の点数に基づいて、複数のイベント開催候補施設のうち、集計された評価の点数が最高のイベント開催候補施設をイベント開催予定施設と決定する（ステップＳ２０１）。
【０１０２】
サーバ４の投票管理部４３２は、イベント開催予定施設が決定された旨を幹事端末２及び複数の携帯端末３のそれぞれに送信する（ステップＳ２０２）。
【０１０３】
端末通信部４１を介して、サーバ４からイベント開催予定施設が決定された旨を取得すると、携帯端末３のメッセージ管理部３５２は、イベント開催予定施設が決定された旨を表示部３４に表示する。
【０１０４】
図１０（ａ）は、イベント開催予定施設が決定された旨を携帯端末３の表示部３４に表示した画面の一例を示す図である。
【０１０５】
図１０（ａ）では、差出人としてサーバ４の投票管理部４３２のメールアドレスである「no-reply@abc.com」が表示されている。また、イベントに参加するユーザのメールアドレスである「bbb@abc.com, ccc@abc.com．．．」が表示されている。さらに、「投票の評価の点数を集計した結果、以下のイベント開催予定施設が決定されました。カラオケC  2014年12月22日18:30〜  エリア：新宿  人数：3  URL<http://www.xxx.jp/1234.html>」というメッセージ１０００が表示されている。メッセージ１０００は、カラオケＣがイベント開催予定施設として決定されたことを表す。
【０１０６】
同様に、サーバ４の投票管理部４３２は、幹事端末２にも携帯端末３と同一のイベント開催予定施設が決定された旨を送信する。そして、幹事端末２のメッセージ管理部３５２は、携帯端末３と同様に、イベント開催予定施設が決定された旨を表示部２４に表示する。
【０１０７】
図６に戻り、サーバ４の特典管理部４３３は、イベント開催予定施設に決定されたイベント開催候補施設を選択したユーザのユーザ識別情報に関連付けて特典情報をサーバ記憶部４２に記憶する。これにより、サーバ４の特典管理部４３３は、イベント開催予定施設に決定されたイベント開催候補施設を選択したユーザに特典を付与する（ステップＳ２０３）。特典情報は、施設で支払いに使用できるポイント等の特典に関する情報である。或いは、特典情報は、割引クーポン、物品のプレゼント等の特典に関する情報であってもよい。
【０１０８】
サーバ４の特典管理部４３３は、特典情報をその特典情報が関連付けて記憶されたユーザ識別情報のユーザの携帯端末３にサーバ通信部４１を介して送信する（ステップＳ２０４）。
【０１０９】
端末通信部３１を介して、サーバ４から特典情報を取得すると、携帯端末３のメッセージ管理部３５２は、特典情報を表示部３４に表示する。
【０１１０】
図１０（ｂ）は、特典情報を携帯端末３の表示部３４に表示した画面の一例を示す図である。
【０１１１】
図１０（ｂ）では、差出人としてサーバ４の投票管理部４３２のメールアドレスである「no-reply@abc.com」が表示されている。また、宛先として特典が付与されたユーザのメールアドレス「bbb@abc.com」が表示されている。また、「お客様が追加したイベント開催候補施設がイベント開催予定施設に決定されましたので、お客様に１００ポイントが付与されます。カラオケC  2014年12月22日18:30〜  エリア：新宿  人数：3  URL<http://www.xxx.jp/1234.html>」というメッセージ１０１０が表示されている。特典として付与された１００ポイントは、施設の支払い等に使用できる。
【０１１２】
図６に戻り、サーバ４の連絡先通知部４３４は、イベント開催予定施設に決定されたイベント開催候補施設を選択したユーザの名前及び連絡先並びにイベントに関する情報を決定されたイベント開催予定施設の端末（不図示）に送信する（ステップＳ２０５）。連絡先は、電話番号、メールアドレス、住所等の情報である。イベントに関する情報は、開催日時、人数等の情報である。
【０１１３】
以上説明してきたように、最終的にイベント開催予定施設に決定されたイベント開催候補施設を選択したユーザに特典というインセンティブを付与することによって、イベントへ参加するユーザを積極的にイベント開催候補施設の選択に関与させることが可能となった。
【０１１４】
［第２の実施形態］
第１の実施形態において、所定のイベント開催候補施設の選択期間、及び、所定のイベント開催候補施設の投票期間を同一の期間として、調整部４３１は、イベント開催候補施設の追加依頼及びイベント開催候補施設に対する投票依頼を同時に携帯端末３に送信してもよい。この場合、携帯端末３がイベント開催候補施設に対する投票情報をサーバ４に送信後に、他の携帯端末３がイベント開催候補施設を選択したイベント開催候補施設情報をサーバ４に送信することもあり得る。そこで、サーバ４の調整部４３１は、携帯端末３からイベント開催候補施設を選択したイベント開催候補施設情報を受信した場合に、既に投票していたユーザの携帯端末３に対して再投票依頼を送信してもよい。
【０１１５】
具体的には、サーバ４の調整部４３１は、携帯端末３からイベント開催候補施設を選択したイベント開催候補施設情報を受信すると、サーバ記憶部４２を参照し、既に投票していたユーザが存在するか否か判定する。既に投票していたユーザが存在する場合、サーバ４の調整部４３１は、新たに選択したイベント開催候補施設情報とともに、イベント開催候補施設に対する再投票依頼を、既に投票していたユーザの携帯端末３にサーバ通信部４１を介して送信する。
【０１１６】
端末通信部３１を介して、再投票依頼を取得すると、携帯端末３のメッセージ管理部３５２は、再投票依頼を表示部３４に表示する。
【０１１７】
図１１（ａ）は、再投票依頼を携帯端末３の表示部３４に表示した画面の一例を示す図である。
【０１１８】
図１１（ａ）では、差出人としてサーバ４の投票管理部４３２のメールアドレスである「no-reply@abc.com」が表示されている。また、宛先として既に投票していたユーザのメールアドレスである「ccc@abc.com」が表示されている。また、「以下のイベント開催候補施設がさらに追加されました。イベントURLからログインして再投票をして下さい。カラオケC  2014年12月22日18:30〜  エリア：新宿  人数：3  URL<http://www.xxx.jp/1234.html>」というメッセージ１１００が表示されている。
【０１１９】
携帯端末３のユーザが操作部３３を操作することにより、携帯端末３の閲覧実行部３５１がイベントURLにアクセスし、ユーザＩＤ及びパスワードを含むログイン要求を、端末通信部３１を介して、サーバ４に送信する。
【０１２０】
サーバ通信部４１を介して携帯端末３からログイン要求を取得すると、サーバ４の調整部４３１は、取得したログイン要求を認証し、再投票画面の情報を、サーバ通信部４１を介して携帯端末３に送信する。
【０１２１】
端末通信部４１を介して、サーバ４から再投票画面の情報を取得すると、閲覧実行部３５１は、再投票画面を表示部３４に表示し、再投票情報をユーザに入力される。
【０１２２】
図１１（ｂ）は、携帯端末３の再投票画面の一例の示す図である。
【０１２３】
図１１（ｂ）では、レストランＡに対する評価「評価  ●とても良い(3点)  ○良い(2点)○普通(1点)  ○イマイチ(0点)」１１１０、バーＢに対する評価「評価  ○とても良い(3点)  ●良い(2点)○普通(1点)  ○イマイチ(0点)」１１１１、及びカラオケＣに対する評価「評価  ○とても良い(3点)  ○良い(2点)●普通(1点)  ○イマイチ(0点)」１１１２が表示されている。さらに、図１１（ｂ）では、レストランＡが投票済であることを示す投票済マーク１１１３、バーＢが投票済であることを示す投票済マーク１１１４、及びカラオケＣが未投票であることを示す未投票マーク１１１５が表示されている。携帯端末３のユーザが操作部３３を操作することにより、レストランＡに対して「●とても良い(3点)」という評価を入力している。また、携帯端末３のユーザが操作部３３を操作することにより、バーＢに対して「●良い(2点)」という評価を入力している。さらに、携帯端末３のユーザが操作部３３を操作することにより、カラオケＣに対して「●普通(1点)」という評価を入力している。ここで、携帯端末３のユーザが操作部３３を操作することにより、投票済のレストランＡ及びバーＢに対する評価を変更してもよい。
【０１２４】
携帯端末３のユーザが操作部３３を操作することにより、再投票ボタン１１１６を押下すると、閲覧実行部３５１は、入力された評価１１１０〜１１１２を再投票情報として、端末通信部４１を介してサーバ４に送信する。
【０１２５】
サーバ通信部４１を介して、携帯端末３から再投票情報を取得すると、サーバ４の投票管理部４３２は、再投票情報をサーバ記憶部４２に再投票したユーザのユーザ識別情報に関連付けて記憶する。ここで、サーバ４の投票管理部４３２は、サーバ記憶部４２に記憶された再投票情報と同一の対象に対する投票情報を再投票情報に更新する。
【０１２６】
また、サーバ通信部４１を介して、携帯端末３から投票情報又は再投票情報を受信した場合に、サーバ４の投票管理部４３２は、イベント開催候補施設の投票の評価の点数の集計の途中経過を、幹事端末２又は携帯端末３に送信してもよい。これにより、ユーザ自身が選択したイベント開催候補施設の投票の評価の点数の集計が他のイベント開催候補施設と比較して低い場合に、ユーザに新たにイベント開催候補施設を選択させる動機付けとすることができる。
【０１２７】
［その他の実施形態］
なお、第１実施形態及び第２の実施形態において、調整部４３１は、ユーザの識別情報の一例として、メールアドレスを用いた。しかしながら、調整部４３１は、メールアドレスに代えて、他のユーザIDをユーザの識別情報として用いてもよい。
【０１２８】
また、第１実施形態及び第２の実施形態において、特典管理部４３３は、イベント開催予定施設に決定されたイベント開催候補施設を選択したユーザに所定の特典情報による特典を付与した。しかしながら、特典管理部４３３は、集計されたイベント開催予定施設に対する評価の点数に基づいて、イベント開催予定施設に決定されたイベント開催候補施設を選択したユーザに付与される特典の特典情報を変動させてもよい。例えば、特典管理部４３３は、集計されたイベント開催予定施設に対する評価の点数の所定数倍（例えば、１００倍）のポイントを、イベント開催予定施設に決定されたイベント開催候補施設を選択したユーザに付与してもよい。したがって、特典管理部４３３は、集計されたイベント開催予定施設に対する評価の点数が高いほど、イベント開催予定施設に決定されたイベント開催候補施設を選択したユーザに付与される特典の特典情報を、より良い特典情報に変動させることができる。これにより、より良い評価が得られそうなイベント開催候補施設をユーザに選択させる動機付けとなる。
【０１２９】
また、第１の実施形態において、イベント開催予定施設決定システム１は、イベント開催候補施設の選択の及びイベント開催候補施設に対する投票の動作シーケンス（図５のステップＳ１０２〜１０９）を、イベントに参加するユーザの携帯端末３に対して実行した。しかしながら、イベント開催予定施設決定システム１は、イベント開催候補施設の選択及びイベント開催候補施設に対する投票の動作シーケンス（図５のステップＳ１０２〜１０９）を、イベントの幹事の幹事端末２に対しても実行してもよい。ここで、幹事が選択したイベント開催候補施設がイベント開催予定施設に決定された場合、サーバ４の特典管理部４３３は、幹事に特典を付与し、サーバ４の連絡先通知部４３４は、幹事の名前及び連絡先並びにイベントに関する情報を決定されたイベント開催予定施設の端末（不図示）に送信する。同様に、第２の実施形態においても、イベント開催予定施設決定システム１は、イベント開催候補施設の選択及びイベント開催候補施設に対する投票の動作シーケンスを、イベントの幹事の幹事端末２に対しても実行してもよい。その場合、サーバ４の調整部４３１は、イベント開催候補施設の追加依頼及びイベント開催候補施設に対する投票依頼を同時に幹事端末２に送信する。
【０１３０】
また、第１の実施形態及び第２の実施形態において、幹事又はイベントに参加するユーザが選択できるイベント開催候補施設の数に上限が設定されていなかった。しかしながら、幹事又はイベントに参加するユーザが選択できるイベント開催候補施設の数に上限が設定されてもよい。この場合、まず、調整部４３１は、サーバ通信部４１を介して、携帯端末３からイベント開催候補施設を選択したイベント開催候補施設情報を取得する。そうすると、調整部４３１は、イベント開催候補施設管理テーブルに記憶された、選択したイベント開催候補施設の数が上限であるか否か判定し、上限である場合は、エラーメッセージ（不図示）を携帯端末３に返信する。
【０１３１】
また、第１の実施形態及び第２の実施形態において、幹事又はイベントに参加する全てのユーザが選択できるイベント開催候補施設の数の合計に上限が設定されていなかった。しかしながら、幹事又はイベントに参加する全てのユーザが選択できるイベント開催候補施設の数の合計に上限が設定されてもよい。この場合、まず、調整部４３１は、サーバ通信部４１を介して、携帯端末３からイベント開催候補施設を選択したイベント開催候補施設情報を取得する。そうすると、調整部４３１は、イベント開催候補施設管理テーブルに記憶された、選択したイベント開催候補施設の数の合計が上限であるか否か判定し、上限である場合は、エラーメッセージ（不図示）を携帯端末３に返信する。
【０１３２】
また、第１の実施形態及び第２の実施形態において、選択できるイベント開催候補施設のジャンルの順番をイベント管理テーブルにイベントIDに関連付けて記憶されていてもよい。例えば、選択できるイベント開催候補施設のジャンルの順番の一例として「レストラン→バー」は、一次会は、レストラン、二次会は、バーで開催されるイベントであることを表す。この場合、選択できるイベント開催候補施設のジャンルの順番に違反するイベント開催候補施設を選択したイベント開催候補情報を携帯端末３から取得した場合、調整部４３１は、エラーメッセージ（不図示）を携帯端末３に返信する。
【０１３３】
第２の実施形態において、調整部４３１は、イベント開催候補施設の追加依頼及びイベント開催候補施設に対する投票依頼を同時に携帯端末３に送信した。しかしながら、調整部４３１は、イベント開催候補施設に対する投票をしたユーザの携帯端末３に対してのみ、イベント開催候補施設の追加依頼を送信してもよい。
【０１３４】
端末処理部２５、端末処理部３５及びサーバ処理部４３が備える各機能をコンピュータに実現させるためのコンピュータプログラムは、磁気記録媒体、光記録媒体等のコンピュータにより読み取り可能な記録媒体に記録された形で提供されてもよい。
【０１３５】
当業者は、本発明の精神及び範囲から外れることなく、様々な変更、置換、及び修正をこれに加えることが可能であり、実施形態を適宜組み合わせてもよいことを理解されたい。
【符号の説明】
【０１３６】
１    イベント開催予定施設決定システム
２    幹事端末
２１    端末通信部
２２    端末記憶部
２３    操作部
２４    表示部
２５    端末処理部
２５１    閲覧実行部
２５２    メッセージ管理部
３    携帯端末
３１    端末通信部
３２    端末記憶部
３３    操作部
３４    表示部
３５    端末処理部
３５１    閲覧実行部
３５２    メッセージ管理部
４    サーバ
４１    サーバ通信部
４２    サーバ記憶部
４３    サーバ処理部
４３１    調整部
４３２    投票管理部
４３３    特典管理部
４３４    連絡先通知部
５    インターネット
【図１】
0006643809.tif 000002
【図２】
0006643809.tif 000003
【図３】
0006643809.tif 000004
【図４】
0006643809.tif 000005
【図５】
0006643809.tif 000006
【図６】
0006643809.tif 000007
【図７】
0006643809.tif 000008
【図８】
0006643809.tif 000009
【図９】
0006643809.tif 000010
【図１０】
0006643809.tif 000011
【図１１】
0006643809.tif 000012